(57)【特許請求の範囲】
【請求項１】
ファンが投票券を購入するための投票カードの投票内容に修正を要するか否かを判別する修正判別部と、
前記ファンの属性を取得する属性取得部と、
前記投票内容の判別結果が前記投票内容に修正を要する場合において、前記ファンに前記投票内容を確認させる際に、前記属性が簡易属性である場合、前記投票内容に関する情報を簡易的に案内して、前記属性が詳細属性である場合、前記情報の詳細な説明を付加する投票確認部と、
を有することを特徴とする投票装置。
【請求項２】
前記属性取得部は、前記ファンの顔の画像から、前記属性を取得する、
ことを特徴とする請求項１に記載の投票装置。
【請求項３】
前記属性は、性別かつ年齢、または、年齢である、
ことを特徴とする請求項１または２に記載の投票装置。
【請求項４】
前記属性が、男性かつ第１範囲の年齢の場合である、
ことを特徴とする請求項１に記載の投票装置。
【請求項５】
前記属性が、男性かつ第２範囲の年齢、または、女性の場合である、
ことを特徴とする請求項１に記載の投票装置。
【請求項６】
前記投票確認部は、
前記属性が前記詳細属性である場合、前記情報を説明する説明画面を案内して、前記情報の詳細な説明を付加する、
ことを特徴とする請求項１に記載の投票装置。
【発明の詳細な説明】
【技術分野】
【０００１】
本発明は、投票装置に関する。
【背景技術】
【０００２】
公営競技場やその場外発券場等には、顧客（ファン）により投票内容（場、レース、組番、金額等）が予め記入されたＯＭＲ（Optical Mark Recognition）カード式の投票カードを受け付けて、ファンの希望に応じた投票券を発券する投票装置が設置されている。
【０００３】
このような投票装置では、投票カードに記入誤りがある場合には、記入誤りの数が閾値以下である場合に限り、表示画面上に記入誤りの箇所を表示して、タッチパネル等による入力を受け付けて記入誤りを修正させる。また、記入誤りの数が閾値を超える場合には、投票カードをファンに返却する。これにより、記入誤りのある投票カードの修正を迅速に行うことができる（例えば、特許文献１参照）。
【先行技術文献】
【特許文献】
【０００４】
【特許文献１】特開２０１４−２０６７９６号公報
【発明の概要】
【発明が解決しようとする課題】
【０００５】
しかし、投票装置で、投票カードの記入誤りの箇所を表示画面上に表示して、ファンに修正させる場合には、ファンが公営競技に不慣れである場合には、投票カードの修正に手間取って時間がかかるおそれがある。このため、投票装置に並ぶ他のファンを待たせてしまい、または、締め切り間際である場合には、投票券を買いそびれてしまうファンがいる場合もある。
【０００６】
本発明は、このような点に鑑みてなされたものであり、ファンに記入誤りを含む投票カードの修正を円滑に実行させる投票装置を提供することを目的とする。
【課題を解決するための手段】
【０００７】
本発明の一観点によれば、ファンが投票券を購入するための投票カードの投票内容に修正を要するか否かを判別する修正判別部と、前記ファンの属性を取得する属性取得部と、前記投票内容の判別結果が前記投票内容に修正を要する場合において、前記ファンに前記投票内容を確認させる際に、前記属性が簡易属性である場合、前記投票内容に関する情報を簡易的に案内して、前記属性が詳細属性である場合、前記情報の詳細な説明を付加する投票確認部と、を有する投票装置が提供される。
【発明の効果】
【０００８】
開示の技術によれば、ファンに記入誤りを含む投票カードの修正を円滑に実行させて、修正時間を削減することができる。
【図面の簡単な説明】
【０００９】
【図１】第１の実施の形態の投票装置を説明するための図である。
【図２】第２の実施の形態の投票システムの一例を示す図である。
【図３】第２の実施の形態の投票装置のハードウェア構成例を示す図である。
【図４】第２の実施の形態の投票システムで実行される投票方法の一例を示すシークエンスである。
【図５】第２の実施の形態の投票装置で実行される投票内容表示処理を示すフローチャートである。
【図６】第２の実施の形態の投票装置で実行される投票修正処理（簡易）（ステップＳ３２）を示すフローチャートである。
【図７】第２の実施の形態の投票装置による投票修正処理で表示される確認画面例（式別）を示す図である。
【図８】第２の実施の形態の投票装置による投票修正処理で表示される修正画面例（式別）を示す図である。
【図９】第２の実施の形態の投票装置で実行される投票修正処理（詳細）（ステップＳ３３）を示すフローチャート（その１）である。
【図１０】第２の実施の形態の投票装置で実行される投票修正処理（詳細）（ステップＳ３３）を示すフローチャート（その２）である。
【図１１】第２の実施の形態の投票装置で実行される投票修正処理（詳細）（ステップＳ３３）を示すフローチャート（その３）である。
【図１２】第２の実施の形態の投票装置による投票修正処理で表示される確認画面例（場名）を示す図である。
【図１３】第２の実施の形態の投票装置による投票修正処理（詳細）で表示される案内画面例（場名）を示す図である。
【図１４】第２の実施の形態の投票装置による投票修正処理で表示される修正画面例（場名）を示す図である。
【図１５】第２の実施の形態の投票装置による投票修正処理（詳細）で表示される案内画面例（式別）を示す図である。
【発明を実施するための形態】
【００１０】
以下、図面を参照して実施の形態について説明する。
［第１の実施の形態］
第１の実施の形態について、図１を用いて説明する。
【００１１】
図１は、第１の実施の形態の投票装置を説明するための図である。
投票装置１は、公営競技場、公営競技場の場外投票券売り場に設置されて、投票内容が記入された投票カード（並びに入金）をファンから受け付けて、投票カードの投票内容に基づき投票券を発券するものである。このような投票装置１は、修正判別部２と、属性取得部３と、投票確認部４とを有する。
【００１２】
修正判別部２は、ファン５が投票券を購入するための投票カード６の投票内容に修正を要するか否かを判別する。例えば、投票装置１が、ファン５から投票カード６を受け付けると、修正判別部２は、投票カード６の投票内容を読み取り、当該投票内容に修正を要するか否かを判定する。
【００１３】
属性取得部３は、ファン５の属性を取得する。例えば、投票装置１は、カメラを備えられており、投票カード６を投入するために投票装置１の前にいるファン５の顔の画像をカメラにより撮影する。属性取得部３は、当該顔の画像から、属性としてファン５の年齢、性別等を取得することができる。
【００１４】
投票確認部４は、投票内容の判別結果に基づき、ファン５に投票内容を属性に応じて案内して確認させる。例えば、投票装置１は、修正判別部２により投票カード６の投票内容に修正を要することを判別した場合に、属性取得部３が取得したファン５の属性に応じた詳しさで、投票カード６の投票内容をファン５に案内して確認させる。この際の案内方法としては、例えば、投票装置１に設けられている表示装置（図示を省略）、または、投票装置１に設けられているスピーカ（図示を省略）等から投票内容を出力させる。また、ファン５の属性が、例えば、男性であって、中年の年齢層である場合には、ファン５は、公営競技に対して熟練していることが考えられる。この場合には、ファン５に対して修正を要する投票内容を簡易的に案内して確認させる。また、ファン５の属性が、例えば、女性である場合には、ファン５は、公営競技に対して不慣れである場合が考えられる。この場合には、ファン５に対して修正を要する投票内容を詳細に案内して確認させる。
【００１５】
次に、このような構成を有する投票装置１における投票方法について説明する。なお、以下では、投票カード６の投票内容が修正を要する場合について説明する。
ファン５は、投票装置１に投票内容が記入されている投票カード６を投入し、所定の金額を入金する。投票装置１が投票カード６を受け付けると、修正判別部２は、投票カード６の投票内容に修正を要することを判別する。この際、属性取得部３は、例えば、投票装置１に設置されているカメラにより撮影したファン５の顔画像を認証してファン５の属性（性別、年齢）を取得する。
【００１６】
さらに、投票確認部４は、属性取得部３が取得した属性が、例えば、男性であって、中年の年齢層である場合には、ファン５に投票カード６の投票内容を簡易的に案内（表示）して確認させる。これにより、公営競技に熟練したファン５は、投票内容を適切に確認できることから、投票内容の修正も適切に行うことができる。また、投票確認部４は、属性取得部３が取得した属性が、例えば、女性である場合には、ファン５に投票カード６の投票内容を詳細に案内（表示）して確認させる。これにより、公営競技に不慣れなファン５でも、投票内容を適切に確認できるようになることから、投票内容の修正を円滑に行うことができる。
【００１７】
このように、上記投票装置１では、ファン５が投票券を購入するための投票カード６の投票内容に修正を要するか否かを判別し、ファン５の属性を取得し、投票内容の判別結果に基づき、ファン５に投票内容を属性に応じて案内して確認させる。これにより、投票装置１では、ファン５の公営競技に対する熟練度合に応じて、修正を要する投票カード６の投票内容を案内して確認させることができる。このため、公営競技に不慣れなファン５でも、投票内容を適切に確認することができ、投票内容の修正を円滑に実行させることができ、修正時間を削減することができるようになる。したがって、他のファン５を待たせることなく、また、投票装置１で実行する投票カード６の修正の説明員の人件費を削減することができるようになる。
【００１８】
［第２の実施の形態］
第２の実施の形態では、第１の実施の形態についてより具体的に説明する。
まず、第２の実施の形態の投票システムについて図２を用いて説明する。
【００１９】
図２は、第２の実施の形態の投票システムの一例を示す図である。
投票システム１００は、投票券の発券、オッズの表示と集計、配当金の計算、投票券の払い戻し等を管理するものである。このような投票システム１００は、ホストコンピュータ２００と、複数の投票装置４００（図２では、１つの投票装置４００を表示）とが、ネットワーク３００を介して通信可能に接続されている。
【００２０】
ホストコンピュータ２００は、投票装置４００とネットワーク３００を介して通信を行い、投票装置４００が行う投票券の発券や投票券の払い戻し等を管理する。また、ホストコンピュータ２００は、オッズの計算、配当金の計算等を行う。
【００２１】
投票装置４００は、投票券発券口４２７ａと、投票券投入口４２７ｂと、投票カード投入／排出口４２４ａと、紙幣投入／排出口４２５ａと、硬貨投入口４２６ａと、硬貨排出口４２６ｂと、ディスプレイ４２０と、タッチパネル４２２とが外装されている。
【００２２】
投票券発券口４２７ａは、発券された投票券の排出口である。
投票券投入口４２７ｂは、払い戻しをする投票券の投入口である。
投票カード投入／排出口４２４ａは、投票カードの投入口であり、また、返却する投票カードの排出口でもある。
【００２３】
紙幣投入／排出口４２５ａは、紙幣の投入口であり、また、返却する紙幣または釣札とする紙幣の排出口でもある。
硬貨投入口４２６ａは、硬貨の投入口である。
【００２４】
硬貨排出口４２６ｂは、返却する硬貨または釣銭とする硬貨の排出口である。
ディスプレイ４２０は、タッチパネル４２２の下層に配置されており、操作案内、レース案内、投票カードの投票内容等の情報を表示する。ディスプレイ４２０は、例えば液晶ディスプレイである。
【００２５】
タッチパネル４２２は、透過型のタッチパネルであり、各種の入力や投票内容の修正等の際に操作される。ディスプレイ４２０により表示された情報は、タッチパネル４２２を透過して、投票者から視認可能である。投票者は、ディスプレイ４２０により表示された情報を見ながら、タッチパネル４２２に対するタッチ操作を行うことができる。
【００２６】
次に、投票システム１００を構成する投票装置４００のハードウェア構成例について、図３を用いて説明する。
図３は、第２の実施の形態の投票装置のハードウェア構成例を示す図である。
【００２７】
投票装置４００は、制御ユニット４１０と、ディスプレイ４２０と、管理者用ディスプレイ４２１と、タッチパネル４２２と、管理者用タッチパネル４２３と、投票カード読取ユニット４２４と、紙幣処理ユニット４２５と、硬貨処理ユニット４２６と、投票券発券ユニット４２７と、払戻投票券読取ユニット４２８と、カメラユニット４２９とを有する。
【００２８】
制御ユニット４１０は、投票装置４００全体を制御するものである。このような制御ユニット４１０は、ＣＰＵ（Central Processing Unit）４１１と、ＲＡＭ（Random Access Memory）４１２と、ＨＤＤ（Hard Disk Drive）４１３と、グラフィックインタフェース４１４と、通信インタフェース４１５と、入出力インタフェース４１６とがバス４１７を介して通信可能に接続されている。
【００２９】
ＣＰＵ４１１は、ＲＡＭ４１２及びＨＤＤ４１３といった記録媒体に記憶された各種プログラムを実行することにより、投票装置４００全体を統括的に制御する。
ＲＡＭ４１２は、ＣＰＵ４１１によって実行させるＯＳ（Operating System）のプログラムやアプリケーションプログラムの少なくとも一部を一時的に格納する。また、ＲＡＭ４１２は、ＣＰＵ４１１による処理に必要な各種データ（例えば投票内容のデータ等）を格納する。
【００３０】
ＨＤＤ４１３は、ＯＳやアプリケーションプログラムを格納する。
グラフィックインタフェース４１４は、ディスプレイ４２０、管理者用ディスプレイ４２１が接続されている。グラフィックインタフェース４１４は、ＣＰＵ４１１の制御の下に、各種の情報をディスプレイ４２０、管理者用ディスプレイ４２１の画面に表示させる。なお、管理者用ディスプレイ４２１（並びに後述する管理者用タッチパネル４２３）は、投票装置４００の裏面側に設けられる管理者向けのディスプレイである。
【００３１】
通信インタフェース４１５は、ネットワーク３００（図２）に接続され、例えば、ホストコンピュータ２００との間でデータ（各種の情報、電文、通知等）の送受信を行う。
なお、ＣＰＵ４１１によって実行されるＯＳのプログラムやアプリケーションプログラムは、図示しない外部装置から、ネットワーク３００及び通信インタフェース４１５を介して、例えばＲＡＭ４１２に格納されて、ＣＰＵ４１１によって実行されてもよい。また、後述する可搬型記録媒体４３０に格納され、後述の入出力インタフェース４１６を介して、例えば、ＲＡＭ４１２に格納されて、ＣＰＵ４１１によって実行されてもよい。
【００３２】
入出力インタフェース４１６には、タッチパネル４２２と、管理者用タッチパネル４２３と、投票カード読取ユニット４２４と、紙幣処理ユニット４２５と、硬貨処理ユニット４２６、投票券発券ユニット４２７と、払戻投票券読取ユニット４２８と、カメラユニット４２９とが接続されている。また、入出力インタフェース４１６は、可搬型記録媒体４３０に対する情報の書込み及び読出しが可能な可搬型記録媒体インタフェース（図示を省略）と接続可能になっている。また、入出力インタフェース４１６は、タッチパネル４２２と、管理者用タッチパネル４２３と、投票カード読取ユニット４２４と、紙幣処理ユニット４２５と、硬貨処理ユニット４２６と、投票券発券ユニット４２７と、払戻投票券読取ユニット４２８と、カメラユニット４２９と、可搬型記録媒体インタフェース（図示を省略）と、から送られてくる信号を、バス４１７を介してＣＰＵ４１１に送信する。また、入出力インタフェース４１６は、ＣＰＵ４１１から送られてくる制御信号を、バス４１７を介して対応するユニット（タッチパネル４２２と、管理者用タッチパネル４２３と、投票カード読取ユニット４２４と、紙幣処理ユニット４２５と、硬貨処理ユニット４２６と、投票券発券ユニット４２７と、払戻投票券読取ユニット４２８と、カメラユニット４２９と、可搬型記録媒体インタフェース）へ送信する。
【００３３】
投票カード読取ユニット４２４は、投票カードから投票内容を読み取る。
紙幣処理ユニット４２５は、紙幣の受け入れ、紙幣の真贋の鑑別、紙幣の収納、紙幣の返却、釣札の排出を行う。
【００３４】
硬貨処理ユニット４２６は、硬貨の受け入れ、硬貨の真贋の鑑別、硬貨の収納、硬貨の返却、釣銭の排出を行う。
投票券発券ユニット４２７は、投票内容を印刷して投票券を発券する。
【００３５】
払戻投票券読取ユニット４２８は、投票券を受け入れて投票内容を読み取る。
カメラユニット４２９は、投票装置４００の前面に外装されており、投票装置４００の前に立つファンの顔の画像を撮影する。
【００３６】
なお、投票装置４００において、制御ユニット４１０は、例えば、ＦＰＧＡ（Field Programmable Gate Array）やＤＳＰ（Digital Signal Processor）等のモジュールを含む構成とすることもできる。この場合、制御ユニット４１０は、不揮発性メモリ（例えば、ＥＥＰＲＯＭ（Electrically Erasable and Programmable Read Only Memory）、フラッシュメモリ、フラッシュメモリ型メモリカード等）を含み、モジュールのファームウェアを記憶する。不揮発性メモリには、可搬型記録媒体４３０、或いは通信インタフェース４１５を介してファームウェアを書き込むことができる。このように制御ユニット４１０は、不揮発性メモリに記憶されているファームウェアを書き換えることにより、ファームウェアの更新をすることもできる。
【００３７】
次に、ホストコンピュータ２００のハードウェア構成例について説明する。
なお、ホストコンピュータ２００のハードウェア構成例の図示については省略する。
ホストコンピュータ２００も、投票装置４００の制御ユニット４１０に含まれるＣＰＵ４１１と、ＲＡＭ４１２と、ＨＤＤ４１３とを少なくとも備えている。また、必要に応じて、グラフィックインタフェース４１４と、入出力インタフェース４１６を備え、ディスプレイ４２０と、タッチパネル４２２とが接続されている。
【００３８】
次に、このような投票システム１００により実行される投票方法について図４を用いて説明する。
図４は、第２の実施の形態の投票システムで実行される投票方法の一例を示すシークエンスである。
【００３９】
なお、図４では、投票装置４００の制御ユニット４１０（ＣＰＵ４１１）及びホストコンピュータ２００のＣＰＵによって実行される処理と、これらの処理に伴って実行されるファンの動作とが示されている。
【００４０】
まず、ファンは投票カードに投票したい公営競技のレースに関する投票内容を記入する。そして、ファンは、投票内容を記入した投票カードを持参して投票装置４００に向かう。
【００４１】
［ステップＳ１０］  ファンは、投票装置４００の紙幣投入／排出口４２５ａ及び硬貨投入口４２６ａに現金を入金する。
［ステップＳ１１］投票装置４００の制御ユニット４１０は、紙幣処理ユニット４２５及び硬貨処理ユニット４２６を動作させて、ファンから投票装置４００の紙幣投入／排出口４２５ａ及び硬貨投入口４２６ａに入金された現金を読み込む。
【００４２】
［ステップＳ１２］  ファンは、投票装置４００の投票カード投入／排出口４２４ａに投票カードを投入する。
［ステップＳ１３］投票装置４００の制御ユニット４１０は、投票カード読取ユニット４２４を動作させて、投票装置４００の投票カード投入／排出口４２４ａに投入された投票カードに記入された投票内容を読み込む。
【００４３】
［ステップＳ１４］投票装置４００の制御ユニット４１０は、ステップＳ１３で読み込んだ投票カードの投票内容に修正を要するか否かを判定する。
なお、投票内容の修正とは、例えば、マークの記入漏れ、金額単位のマークミス等、投票内容として矛盾があるマークであって、投票することができない場合には、修正を要すると判定する。
【００４４】
次の処理は、投票カードの投票内容が修正を要する場合（ｙｅｓ）には、ステップＳ１５の処理が実行され、投票カードの投票内容に修正を要しない場合（ｎｏ）には、ステップＳ１８の処理が実行される。
【００４５】
［ステップＳ１５］  投票装置の制御ユニット４１０は、投票カードの投票内容の表示処理を実行して、ディスプレイ４２０に投票カードの投票内容を表示して、ファンからの投票内容の修正を受け付ける。
【００４６】
なお、ステップＳ１５の処理の詳細については後述する。
［ステップＳ１６］  ファンは、ディスプレイ４２０にステップＳ１５で表示された投票カードの投票内容を確認して、タッチパネル４２２に操作入力を行って投票内容の修正入力を行う。
【００４７】
［ステップＳ１７］  投票装置４００の制御ユニット４１０は、投票カードの投票内容に対する修正入力が完了したか否かを判定する。
次の処理は、投票カードの投票内容に対する修正入力が完了した場合（ｙｅｓ）には、ステップＳ１８の処理が実行される。また、ファンが未成年であって投票者として対象外である場合（後述する投票内容表示処理のステップＳ３４で２０歳以上ではないことが入力された場合）には、ステップＳ２６の処理が実行される。また、修正入力が完了していない場合（ｎｏ）は、ステップＳ１５へ戻る。
【００４８】
［ステップＳ１８］  投票装置４００の制御ユニット４１０は、ファンから入金された金額に残金があるか否かを判定する。
ファンから入金された金額に残金がない場合（ｎｏ）には、投票装置４００の制御ユニット４１０は、ステップＳ１９の処理が実行される。ファンから入金された金額に残金がある場合（ｙｅｓ）には、ホストコンピュータ２００にネットワーク３００を介して、投票カードの投票内容を送信して、ステップＳ２２の処理が実行される。
【００４９】
［ステップＳ１９］  投票装置４００の制御ユニット４１０は、ディスプレイ４２０に、残高不足である旨を表示して、ファンからの追加の入金を促す。
［ステップＳ２０］  ファンは、投票装置４００の紙幣投入／排出口４２５ａ及び硬貨投入口４２６ａに現金を追加で入金する。
【００５０】
［ステップＳ２１］  投票装置４００の制御ユニット４１０は、紙幣処理ユニット４２５及び硬貨処理ユニット４２６を動作させて、ステップＳ２０で投票装置４００の紙幣投入／排出口４２５ａ及び硬貨投入口４２６ａに入金された現金を読み込む。
【００５１】
この後、再び、ステップＳ１８の処理が実行される。
［ステップＳ２２］  ホストコンピュータ２００のＣＰＵは、ステップＳ１８で受信した投票カードの投票内容を受け付けて、オッズ等を集計する。また、ホストコンピュータ２００のＣＰＵは、ネットワーク３００を介して、投票装置４００に投票内容に基づく投票券の発券許可通知を送信する。
【００５２】
［ステップＳ２３］  投票装置４００の制御ユニット４１０は、ホストコンピュータ２００から発券許可通知を受信すると、投票券発券ユニット４２７を動作させて、投票券発券口４２７ａから投票券を発券する。
【００５３】
［ステップＳ２４］  ファンは、投票装置４００から発券された投票券を受け取る。
［ステップＳ２５］  投票装置４００の制御ユニット４１０は、例えば、ディスプレイ４２０に精算を行うか否かを選択する画面を表示して、ファンからの選択入力を受け付ける。
【００５４】
次の処理は、ファンから精算の入力を受け付けた場合（ｙｅｓ）には、ステップＳ２６の処理が実行され、ファンから精算を行わずに投票券の購入の継続を受け付けた場合（ｎｏ）には、ステップＳ１２が再び実行される。
【００５５】
［ステップＳ２６］  投票装置４００の制御ユニット４１０は、ステップＳ１０，Ｓ２０で入金された現金から投票券の購入に要した金額の差額（釣銭）を、紙幣処理ユニット４２５及び硬貨処理ユニット４２６を動作させて、紙幣投入／排出口４２５ａ及び硬貨排出口４２６ｂから釣銭を放出する。
【００５６】
［ステップＳ２７］  ファンは、ステップＳ２６で放出された釣銭を受け取る。
次に、ステップＳ１５の投票内容表示処理について図５を用いて説明する。
図５は、第２の実施の形態の投票装置で実行される投票内容表示処理を示すフローチャートである。
【００５７】
［ステップＳ３０］  投票装置４００の制御ユニット４１０は、カメラユニット４２９を動作させて、ファンの顔の画像を撮影する。投票装置４００の制御ユニット４１０は、撮影した顔の画像から顔の認証を行う。
【００５８】
［ステップＳ３１］  投票装置４００の制御ユニット４１０は、顔の認証を行った結果、次の処理は、ファンの属性が、２０歳〜５０歳、男性である場合には、ステップＳ３２の処理が実行され、ファンの属性が、５１歳以上、男性、または、女性である場合には、ステップＳ３３の処理が実行される。また、ファンの属性が、１９歳以下である場合には、ステップＳ３４の処理が実行される。
【００５９】
［ステップＳ３２］  投票装置４００の制御ユニット４１０は、投票修正処理（簡易）を実行して、投票カードの投票内容を表示して投票内容の修正を受け付ける。
［ステップＳ３３］  投票装置４００の制御ユニット４１０は、投票修正処理（詳細）を実行して、投票カードの投票内容を表示して投票内容の修正を受け付ける。
【００６０】
［ステップＳ３４］  投票装置４００の制御ユニット４１０は、ディスプレイ４２０にファンが２０歳以上か否かを問う画面を表示して、ファンからの入力を受け付ける。
次の処理は、ファンから２０歳以上であることの入力を受け付ける（ｙｅｓ）と、ステップＳ３２の処理が実行され、ファンから２０歳以上ではない（２０歳未満である）ことの入力を受け付ける（ｎｏ）と、投票内容表示処理が終了される。
【００６１】
次に、ステップＳ３２の投票修正処理（簡易）及びステップＳ３３の投票修正処理（詳細）について説明する。
まず、投票修正処理（簡易）について図６〜図８を用いて説明する。
【００６２】
図６は、第２の実施の形態の投票装置で実行される投票修正処理（簡易）（ステップＳ３２）を示すフローチャートである。
また、図７は、第２の実施の形態の投票装置による投票修正処理で表示される確認画面例（式別）を示す図であり、図８は、第２の実施の形態の投票装置による投票修正処理で表示される修正画面例（式別）を示す図である。
【００６３】
図５の投票内容表示処理のステップＳ３１でファンの属性が「２０歳〜５０歳、男性」であることが判別される。すなわち、ファンは公営競技に対してある程度熟練されていることが考えられる。このため、投票内容を修正させる際には、以下の処理のように、投票内容の「場名」、「式別」、「レース番号」、「組番」、「金額（単位）」のうち、「式別」、「レース番号」、「金額（単位）」を簡易的に確認させる。
【００６４】
［ステップＳ４０］  投票装置４００の制御ユニット４１０は、ディスプレイ４２０に、式別確認画面を表示する。
式別確認画面は、例えば、図７に示されるように、現在、式別として記入されているもの（図７では、「３連単」）を確認させる画面である。この画面では、現在、式別として記入されているもので問題がない場合には、「はい  問題ありません」のボタン４２０ａに対する入力を受け付ける。また、現在、式別として記入されているものを修正したい場合には、「いいえ  修正します」のボタン４２０ｂに対する入力を受け付ける。
【００６５】
なお、式別確認画面には、式別確認（式別確認画面）の投票修正処理（詳細）に移るための、「式別確認（詳細）に移る」ボタン４２０ｃが設けられている。
投票装置４００の制御ユニット４１０は、ディスプレイ４２０に、このような式別確認画面を表示して、ファンからの選択入力を受け付ける。
【００６６】
［ステップＳ４１］  次の処理は、ファンからの選択入力に応じて、式別の修正が必要である（修正する）場合には、ステップＳ４２の処理が実行され、式別の修正が不要である（修正しない）場合には、ステップＳ４４の処理が実行される。また、式別確認の投票修正処理（詳細）への移動を受け付けた場合（Ｄ１）には、図１０のステップＳ６６の処理が実行される。
【００６７】
［ステップＳ４２］  投票装置４００の制御ユニット４１０は、ディスプレイ４２０に、式別修正画面を表示する。
式別修正画面は、例えば、図８に示されるように、ディスプレイ４２０に、現在の投票内容が表示され、式別を選択することができる式別選択領域４２０ｄが設けられている。
【００６８】
ファンは、式別修正画面の式別選択領域４２０ｄから所望の式別をタッチすることで、選択することができる。
［ステップＳ４３］  次の処理は、ファンから式別の修正を待ち受けて（ステップＳ４２）、式別の修正を受け付けると、ステップＳ４４の処理が実行される。
【００６９】
［ステップＳ４４］  投票装置４００の制御ユニット４１０は、ディスプレイ４２０に、レース番号を確認させるためのレース番号確認画面を表示する。
レース番号確認画面（図示を省略）は、式別番号確認画面（図７）と同様に、現在、レース番号として記入されているものを確認させる画面である。この画面でも、式別番号確認画面と同様に、現在、記入されているレース番号を維持する（修正不要）か、または、修正する（修正必要）かの選択入力を受け付けることができる。また、同様に、レース番号確認画面にも、レース番号確認の投票修正処理（詳細）に移るための、「レース番号確認（詳細）に移る」ボタンが設けられている。
【００７０】
［ステップＳ４５］  次の処理は、ファンからの選択入力に応じて、レース番号の修正が必要である（修正する）場合には、ステップＳ４６の処理が実行され、レース番号の修正が不要である（修正しない）場合には、ステップＳ４８の処理が実行される。また、レース番号確認の投票修正処理（詳細）への移動を受け付けた場合（Ｄ２）には、図１０のステップＳ７２の処理が実行される。
【００７１】
［ステップＳ４６］  投票装置４００の制御ユニット４１０は、ディスプレイ４２０に、レース番号修正画面を表示する。
レース番号修正画面（図示を省略）は、式別修正画面（図８）と同様に、ディスプレイ４２０に、現在の投票内容が表示され、レース番号を選択することができるようになっている。
【００７２】
ファンは、レース番号修正画面から所望のレース番号をタッチすることで、選択することができる。
［ステップＳ４７］  次の処理は、ファンからレース番号の修正を待ち受けて（ステップＳ４６）、レース番号の修正を受け付けると、ステップＳ４８の処理が実行される。
【００７３】
［ステップＳ４８］  投票装置４００の制御ユニット４１０は、ディスプレイ４２０に、金額（単位）を確認させるための金額（単位）確認画面を表示する。
金額（単位）確認画面（図示を省略）は、式別番号確認画面（図７）と同様に、現在、金額（単位）として記入されているものを確認させる画面である。この画面でも、式別番号確認画面と同様に、現在、記入されている金額（単位）を維持する（修正不要）か、または、修正する（修正必要）かの選択入力を受け付けることができる。また、同様に、金額（単位）確認画面にも、金額（単位）確認の投票修正処理（詳細）に移るための、「金額（単位）確認（詳細）に移る」ボタンが設けられている。
【００７４】
［ステップＳ４９］  次の処理は、ファンからの選択入力に応じて、金額（単位）の修正が必要である（修正する）場合には、ステップＳ５０の処理が実行され、金額（単位）の修正が不要である（修正しない）場合には、投票修正処理（簡易）が終了される。また、金額（単位）確認の投票修正処理（詳細）への移動を受け付けた場合（Ｄ３）には、図１１のステップＳ８４の処理が実行される。
【００７５】
［ステップＳ５０］  投票装置４００の制御ユニット４１０は、ディスプレイ４２０に、金額（単位）修正画面を表示する。
金額（単位）修正画面は、式別修正画面（図８）と同様に、ディスプレイ４２０に、現在の投票内容が表示され、金額（単位）として、例えば、「万円」、「千円」、「百円」等を選択して入力することができるようになっている。
【００７６】
ファンは、ディスプレイ４２０をタッチして、金額（単位）修正画面に対して所望の金額（単位）を入力することができる。
［ステップＳ５１］  次の処理は、ファンから金額（単位）の修正を待ち受けて（ステップＳ５０）、金額（単位）の修正を受け付けると、投票修正処理が終了される。
【００７７】
次いで、投票修正処理（詳細）について図９〜図１５を用いて説明する。
図９〜図１１は、第２の実施の形態の投票装置で実行される投票修正処理（詳細）（ステップＳ３３）を示すフローチャートである。
【００７８】
図１２は、第２の実施の形態の投票装置による投票修正処理で表示される確認画面例（場名）を示す図であり、図１３は、第２の実施の形態の投票装置による投票修正処理（詳細）で表示される案内画面例（場名）を示す図であり、図１４は、第２の実施の形態の投票装置による投票修正処理で表示される修正画面例（場名）を示す図である。
【００７９】
また、図１５は、第２の実施の形態の投票装置による投票修正処理（詳細）で表示される案内画面例（式別）を示す図である。
図５の投票内容表示処理のステップＳ３１でファンの属性が「５１歳以上、男性」または、「女性」であることが判別される。すなわち、ファンは公営競技に対して不慣れであることが考えられる。このため、投票内容を修正させる際には、以下の処理のように、投票内容の「場名」、「式別」、「レース番号」、「組番」、「金額（単位）」を詳細に確認させる。
【００８０】
［ステップＳ６０］  投票装置４００の制御ユニット４１０は、ディスプレイ４２０に、場名確認画面を表示する。
場名確認画面は、例えば、図１２に示されるように、現在、場名として記入されているもの（図１２では、「Ａ場」）を確認させる画面である。この画面では、現在、場名として記入されているもので問題がない場合には、「はい  問題ありません」のボタン４２０ｅに対する入力を受け付ける。また、現在、場名として記入されているものを修正したい場合には、「いいえ  修正します」のボタン４２０ｆに対する入力を受け付ける。
【００８１】
投票装置４００の制御ユニット４１０は、ディスプレイ４２０に、このような場名確認画面を表示して、ファンからの選択入力を受け付ける。
［ステップＳ６１］  次の処理は、ファンからの選択入力に応じて、場名の修正が必要である（修正する）場合には、ステップＳ６２の処理が実行され、場名の修正が不要である（修正しない）場合には、ステップＳ６６の処理が実行される。
【００８２】
［ステップＳ６２］  投票装置４００の制御ユニット４１０は、ディスプレイ４２０に、場名ガイド画面を表示する。
場名ガイド画面は、例えば、図１３に示されるように、公営競技に不慣れなファンに対して場名について詳細に説明する画面である。ファンは、場名ガイド画面を参照することで、場名について把握することができるようになる。
【００８３】
また、場名ガイド画面には、当該画面を確認できたファンによる確認完了のためのボタン４２０ｇが備えられている。
［ステップＳ６３］  次の処理は、ファンから場名ガイド画面の確認を待ち受けて（ステップＳ６２）、場名ガイド画面の確認を受け付けると、ステップＳ６４の処理が実行される。
【００８４】
［ステップＳ６４］  投票装置４００の制御ユニット４１０は、ディスプレイ４２０に、場名修正画面を表示する。
場名修正画面は、例えば、図１４に示されるように、ディスプレイ４２０に、現在の投票内容が表示され、場名を選択することができる場名選択領域４２０ｈが設けられている。
【００８５】
ファンは、場名ガイド画面（ステップＳ６２，Ｓ６３）で場名について把握することができているために、場名修正画面の場名選択領域４２０ｈから所望の場名を適切に選択してタッチして修正することができる。
【００８６】
［ステップＳ６５］  次の処理は、ファンから場名の修正を待ち受けて（ステップＳ６４）、場名の修正を受け付けると、ステップＳ６６の処理が実行される。
［ステップＳ６６］  投票装置４００の制御ユニット４１０は、ディスプレイ４２０に、式別確認画面を表示する。
【００８７】
式別確認画面は、図７に示した通りである。但し、この場合の式別確認画面には、ボタン４２０ｃに代わり、式別確認（式別確認画面）の投票修正処理（簡易）に移るための、「式別確認（簡易）に移る」ボタンが設けられている。
【００８８】
［ステップＳ６７］  次の処理は、ファンからの選択入力に応じて、式別の修正が必要である（修正する）場合には、ステップＳ６８の処理が実行され、式別の修正が不要である（修正しない）場合には、ステップＳ７２の処理が実行される。また、式別確認の投票修正処理（簡易）への移動を受け付けた場合（Ｅ１）には、図６のステップＳ４０の処理が実行される。
【００８９】
［ステップＳ６８］  投票装置４００の制御ユニット４１０は、ディスプレイ４２０に、式別ガイド画面を表示する。
式別ガイド画面は、例えば、図１５に示されるように、公営競技に不慣れなファンに対して式別について詳細に説明する画面である。ファンは、式別ガイド画面を参照することで、式別について把握することができるようになる。
【００９０】
また、式別ガイド画面には、当該画面を確認できたファンによる確認完了のためのボタン４２０ｉが備えられている。
［ステップＳ６９］  次の処理は、ファンから式別ガイド画面の確認を待ち受けて（ステップＳ６８）、式別ガイド画面の確認を受け付けると、ステップＳ７０の処理が実行される。
【００９１】
［ステップＳ７０］  投票装置４００の制御ユニット４１０は、ディスプレイ４２０に、式別修正画面を表示する。
式別修正画面は、図８に示した通りである。
【００９２】
ファンは、式別ガイド画面（ステップＳ６８，Ｓ６９）で式別について把握することができているために、式別修正画面の式別選択領域４２０ｄから所望の式別を適切に選択してタッチして修正することができる。
【００９３】
［ステップＳ７１］  次の処理は、ファンから式別の修正を待ち受けて（ステップＳ７０）、式別の修正を受け付けると、ステップＳ７２の処理が実行される。
［ステップＳ７２］  投票装置４００の制御ユニット４１０は、ディスプレイ４２０に、レース番号を確認させるためのレース番号確認画面を表示する。
【００９４】
レース番号確認画面は、図６（ステップＳ４４）におけるレース番号確認画面の説明と同様に、現在、レース番号として記入されているものを確認させる画面である。この画面でも、現在、記入されているレース番号を維持する（修正不要）か、または、修正する（修正必要）かの選択入力を受け付けることができる。また、同様に、レース番号確認画面には、レース番号確認の投票修正処理（簡易）に移るための、「レース番号確認（簡易）に移る」ボタンが設けられている。
【００９５】
［ステップＳ７３］  次の処理は、ファンからの選択入力に応じて、レース番号の修正が必要である（修正する）場合には、ステップＳ７４の処理が実行され、レース番号の修正が不要である（修正しない）場合には、ステップＳ７８の処理が実行される。また、レース番号確認の投票修正処理（簡易）への移動を受け付けた場合（Ｅ２）には、図６のステップＳ４４の処理が実行される。
【００９６】
［ステップＳ７４］  投票装置４００の制御ユニット４１０は、ディスプレイ４２０に、レース番号ガイド画面を表示する。
レース番号ガイド画面（図示を省略）は、公営競技に不慣れなファンに対してレース番号について詳細に案内する画面である。ファンは、レース番号ガイド画面を参照することで、レース番号について把握することができるようになる。
【００９７】
また、レース番号ガイド画面には、当該画面を確認できたファンによる確認完了のためのボタンが備えられている。
［ステップＳ７５］  次の処理は、ファンからレース番号ガイド画面の確認を待ち受けて（ステップＳ７４）、レース番号ガイド画面の確認を受け付けると、ステップＳ７６の処理が実行される。
【００９８】
［ステップＳ７６］  投票装置４００の制御ユニット４１０は、ディスプレイ４２０に、レース番号修正画面を表示する。
レース番号修正画面は、図６（ステップＳ４６）におけるレース番号修正画面の説明と同様に、ディスプレイ４２０に、現在の投票内容が表示され、レース番号を選択することができるようになっている。
【００９９】
ファンは、レース番号ガイド画面（ステップＳ７４，Ｓ７５）でレース番号について把握することができているために、レース番号修正画面から所望のレース番号を適切に選択してタッチして修正することができる。
【０１００】
［ステップＳ７７］  次の処理は、ファンからレース番号の修正を待ち受けて（ステップＳ７６）、レース番号の修正を受け付けると、ステップＳ７８の処理が実行される。
［ステップＳ７８］  投票装置４００の制御ユニット４１０は、ディスプレイ４２０に、組番を確認させるための組番確認画面を表示する。
【０１０１】
組番確認画面（図示を省略）は、現在、組番として記入されているものを確認させる画面である。この画面でも、他の確認画面と同様に、現在、記入されている組番を維持する（修正不要）か、または、修正する（修正必要）かの選択入力を受け付けることができる。
【０１０２】
［ステップＳ７９］  次の処理は、ファンからの選択入力に応じて、組番の修正が必要である（修正する）場合には、ステップＳ８０の処理が実行され、組番の修正が不要である（修正しない）場合には、ステップＳ８４の処理が実行される。
【０１０３】
［ステップＳ８０］  投票装置４００の制御ユニット４１０は、ディスプレイ４２０に、組番ガイド画面を表示する。
組番ガイド画面（図示を省略）は、公営競技に不慣れなファンに対して組番について詳細に説明する画面である。ファンは、組番ガイド画面を参照することで、組番について把握することができるようになる。
【０１０４】
また、組番ガイド画面には、当該画面を確認できたファンによる確認完了のためのボタンが備えられている。
［ステップＳ８１］  次の処理は、ファンから組番ガイド画面の確認を待ち受けて（ステップＳ８０）、組番ガイド画面の確認を受け付けると、ステップＳ８２の処理が実行される。
【０１０５】
［ステップＳ８２］  投票装置４００の制御ユニット４１０は、ディスプレイ４２０に、組番修正画面を表示する。
組番修正画面（図示を省略）は、他の修正画面の説明と同様に、ディスプレイ４２０に、現在の投票内容が表示され、組番を選択することができるようになっている。
【０１０６】
ファンは、組番ガイド画面（ステップＳ８０，Ｓ８１）で組番について把握することができているために、組番修正画面から所望の組番を適切に選択してタッチして修正することができる。
【０１０７】
［ステップＳ８３］  次の処理は、ファンから組番の修正を待ち受けて（ステップＳ８２）、組番の修正を受け付けると、ステップＳ８４の処理が実行される。
［ステップＳ８４］  投票装置４００の制御ユニット４１０は、ディスプレイ４２０に、金額（単位）を確認させるための金額（単位）確認画面を表示する。
【０１０８】
金額（単位）確認画面（図示を省略）は、図６（ステップＳ４８）における金額（単位）確認画面の説明と同様に、現在、金額（単位）として記入されているものを確認させる画面である。この画面でも、現在、記入されている金額（単位）を維持する（修正不要）か、または、修正する（修正必要）かの選択入力を受け付けることができる。また、同様に、金額（単位）確認画面にも、金額（単位）確認の投票修正処理（簡易）に移るための、「金額（単位）確認（簡易）に移る」ためのボタンが設けられている。
【０１０９】
［ステップＳ８５］  次の処理は、ファンからの選択入力に応じて、金額（単位）の修正が必要である（修正する）場合には、ステップＳ８６の処理が実行され、金額（単位）の修正が不要である（修正しない）場合には、投票修正処理（詳細）が終了される。また、金額（単位）確認の投票修正処理（簡易）への移動を受け付けた場合（Ｅ３）には、図６のステップＳ４８の処理が実行される。
【０１１０】
［ステップＳ８６］  投票装置４００の制御ユニット４１０は、ディスプレイ４２０に、金額（単位）ガイド画面を表示する。
金額（単位）ガイド画面（図示を省略）は、公営競技に不慣れなファンに対して金額（単位）について詳細に説明する画面である。ファンは、金額（単位）ガイド画面を参照することで、金額（単位）について把握することができるようになる。
【０１１１】
また、金額（単位）ガイド画面には、当該画面を確認できたファンによる確認完了のためのボタンが備えられている。
［ステップＳ８７］  次の処理は、ファンから金額（単位）ガイド画面の確認を待ち受けて（ステップＳ８６）、組番ガイド画面の確認を受け付けると、ステップＳ８８の処理が実行される。
【０１１２】
［ステップＳ８８］  投票装置４００の制御ユニット４１０は、ディスプレイ４２０に、金額（単位）修正画面を表示する。
金額（単位）修正画面は、図６（ステップＳ５０）の金額（単位）修正画面の説明と同様に、ディスプレイ４２０に、現在の投票内容が表示され、金額（単位）として、例えば、「万円」、「千円」、「百円」等を選択して入力することができるようになっている。
【０１１３】
ファンは、金額（単位）ガイド画面（ステップＳ８６，Ｓ８７）で金額（単位）について把握することができているために、金額（単位）修正画面から所望の金額（単位）を適切に選択してタッチして修正することができる。
【０１１４】
［ステップＳ８９］  次の処理は、ファンから金額（単位）の修正を待ち受けて（ステップＳ８８）、金額（単位）の修正を受け付けると、投票修正処理が終了される。
このように、上記投票装置４００では、投票カードの投票内容に修正が必要である場合、ファンの顔画像に基づき、ファンの属性（年齢、性別）を判別して、属性に応じて、投票内容を確認させるようにした。これにより、投票装置４００では、ファンが公営競技に対して不慣れである場合には、投票内容を詳細に案内させることができる。このため、公営競技に対して不慣れなファンでも適切に投票内容を確認することができ、投票内容の修正を円滑に実行させることができる。したがって、修正時間を削減することができるようになり、他のファンの待ち時間も減らすことができる。さらに、投票装置４００での投票カードの修正の説明員の人件費も削減することができる。
【０１１５】
また、ファンが公営競技に対して熟練している場合には、投票内容を簡易的に案内させることができる。このため、公営競技に熟練したファンは、修正時間を削減して、投票内容を修正することができ、他のファンの待ち時間も減らすことができるようになる。
【０１１６】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１１７】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ（Hard Disk Drive）、フレキシブルディスク（ＦＤ）、磁気テープ（ＭＴ）等がある。光ディスクには、ＤＶＤ（Digital Versatile Disc）、ＤＶＤ−ＲＡＭ（Random Access Memory）、ＣＤ−ＲＯＭ（Compact Disc - Read Only Memory）、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０１１８】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１１９】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１２０】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【０１２１】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成及び応用例に限定されるものではない。
【符号の説明】
【０１２２】
１  投票装置
２  修正判別部
３  属性取得部
４  投票確認部
５  ファン
６  投票カード
【図１】
0006506660.tif 000002
【図２】
0006506660.tif 000003
【図３】
0006506660.tif 000004
【図４】
0006506660.tif 000005
【図５】
0006506660.tif 000006
【図６】
0006506660.tif 000007
【図７】
0006506660.tif 000008
【図８】
0006506660.tif 000009
【図９】
0006506660.tif 000010
【図１０】
0006506660.tif 000011
【図１１】
0006506660.tif 000012
【図１２】
0006506660.tif 000013
【図１３】
0006506660.tif 000014
【図１４】
0006506660.tif 000015
【図１５】
0006506660.tif 000016